(57)【要約】【課題】調理装置で煮炊きや揚げ物をしている時に、来客等で調理装置から離れ、煮炊きや揚げ物をしていることを忘れることにより、煮炊きや揚げ物をしているナベ等が高温になるが、従来の調理装置では、このようにナベ等がが高温になった時に、調理装置を停止する機能が無いために、火災が発生するおそれがあるという問題があった。【解決手段】超音波振動子１に発振器２から発振出力が印加され、又、超音波振動子１からの反射波信号は受信機３に入力され、受信機３の反射波信号は制御装置４の反射波信号検出機能４ａに入力され、反射波信号検出機能４ａの出力はタイマ機能４ｂに入力され、タイマ機能４ｂの出力は停止信号出力機能４ｃに入力され、停止信号出力機能４ｃの出力は調理装置５に入力されてている。【選択図】        図１
2004301392.tif 000002
【特許請求の範囲】
【請求項１】
超音波を照射する超音波振動子と、該超音波振動子に発振出力を印加する発振器と、反射波を前記超音波振動子で受信し、その反射波信号を増幅する受信機と、前記発振器を駆動する信号を印加する信号出力機能、前記受信機からの反射波信号の有無を検出する反射波信号検出機能、前記受信機からの反射波信号が無い時に、前記反射波信号検出機能からの信号を受信して駆動するタイマ機能、該タイマ機能のタイムアップによって停止信号を出力する停止信号出力機能からなる制御装置と、該制御装置の停止信号出力機能からの停止信号で差動を停止する調理装置とからなる超音波センサを用いた自動消火システム。
【請求項２】
前記超音波振動子は調理装置の前面に装着することを特徴とする請求項１記載の超音波センサを用いた自動消火システム。
【請求項３】
前記超音波振動子は換気装置に装着することを特徴とする請求項１記載の超音波センサを用いた自動消火システム。
【請求項４】
前記調理装置はガスコンロであることを特徴とする請求項１記載の超音波センサを用いた自動消火システム。
【請求項５】
前記調理装置は電磁コンロであることを特徴とする請求項１記載の超音波をセンサを用いた自動消火システム。
【発明の詳細な説明】
【０００１】
【発明が属する技術分野】
本発明は、ガスコンロや電磁コンロ等の調理装置を使用中に来客等により調理装置から離れることにより、調理装置の過熱により火災等の発生を防ぐようにした超音波センサを用いた自動消火システムに関するものである。
【０００２】
【従来の技術】
従来、家庭において、煮炊きや揚げ物をする場合、ガスコンロや電磁コンロ等の調理装置を使用している。
【０００３】
【発明が解決しようとする課題】
しかしながら、このように調理装置で煮炊きや揚げ物をしている時に、来客等で調理装置から離れ、煮炊きや揚げ物をしていることを忘れることにより、煮炊きや揚げ物をしているナベ等が高温になるが、従来の調理装置では、このようにナベ等がが高温になった時に、調理装置を停止する機能が無いために、火災が発生するおそれがあるという問題があった。
【０００４】
【課題を解決しようとする手段】
本発明は、超音波を照射する超音波振動子と、該超音波振動子に発振出力を印加する発振器と、反射波を前記超音波振動子で受信し、その反射波信号を増幅する受信機と、前記発振器を駆動する信号を印加する信号出力機能、前記受信機からの反射波信号の有無を検出する反射波信号検出機能、前記受信機からの反射波信号が無い時に、前記反射波信号検出機能からの信号を受信して駆動するタイマ機能、該タイマ機能のタイムアップによって停止信号を出力する停止信号出力機能からなる制御装置と、該制御装置の停止信号出力機能からの停止信号で差動を停止する調理装置とからなるものであり、さらに、前記超音波振動子は調理装置の前面に装着するものであり、又、前記超音波振動子は換気装置に装着するものであり、さらに、前記調理装置はガスコンロであることを特徴とするものであり、又、前記調理装置は電磁コンロであることを特徴とするものである。
【０００５】
【発明の実施の形態】
本発明は、超音波振動子から超音波を調理をしている人に照射することにより、その反射波を再び超音波振動子で受信し、この反射波信号をＣＰＵからなる制御装置に出力することにより、制御装置の反射波信号検出機能で常に反射波信号出し、調理する人が調理装置の前からいなくなると、超音波の反射波信号が超音波振動子から入力されなくなるので、制御装置の反射波信号検出機能はタイマ機能に信号を送って、タイマ機能を動作し、その後、タイマ機能が設定された時間内に超音波振動子から超音波の反射波信号が入力されると、タイマ機能を停止し、タイマ機能が設定された時間を越えて差動すると、停止信号出力機能にタイマ機能から信号が出力され、停止信号出力機能から調理装置に停止信号が出力されて調理装置を停止する。
【０００６】
【実施例】
図１は本発明の実施例の超音波センサを用いた自動消火システムの構成図で、超音波振動子１に発振器２から発振出力が印加され、又、超音波振動子１で受信した反射波は反射波信号として受信機３に入力されて増幅され、増幅された反射波信号はＣＰＵからなる制御装置４の反射波信号検出機能４ａに入力され、反射波信号検出機能４ａの出力はタイマ機能４ｂに入力され、タイマ機能４ｂの出力は停止信号出力機能４ｃに入力され、停止信号出力機能４ｃの出力は調理装置５に入力されており、又、タイマ機能４ｂの時間を設定する設定装置６が制御装置４に接続され、さらに、制御装置４から発振器２に信号が入力されている。
【０００７】
このように構成した本実施例の超音波センサを用いた自動消火システムでは、図２に示すように、調理装置５の前面に超音波振動子１が装着され、制御装置４から発振器２に駆動信号を印加すると、発振器２から超音波振動子４に発振出力を印加され、調理装置５の前面の超音波振動子１から超音波が発生するので、調理装置５で煮炊きしている人に対して、超音波が照射され、その反射波が超音波振動子１で受信されることにより、超音波振動子１から反射波信号が受信機３で増幅されて制御装置４の反射波信号検出機能４ａに入力され、反射波信号検出機能４ａは受信機３から超音波の反射波信号が入力されている間は信号を出力しないので、タイマ機能４ｂは動作しない。
【０００８】
ここで、調理装置５の前面から調理する人がいなくなって、超音波振動子１で反射波が受信されなくなると、制御装置４の反射波信号検出機能４ａはタイマ機能４ｂに信号を出力し続け、このタイマ機能４ｂがタイムアップをカウントしない前に調理する人が調理装置５の前面に来ると、超音波振動子１で反射波を受信することになるので、受信した反射波信号は受信機３で増幅されて制御装置４の反射波信号検出機能４ａで検出するので、反射波信号検出機能４ａはタイマ機能４ｂに入力している信号を停止し、タイマ機能４ｂは動作を停止し、カウントをリセットする。
【０００９】
又、超音波振動子１で反射波が受信されなくなって、制御装置４の反射波信号検出機能４ａがタイマ機能４ｂに信号を送り、タイマ機能４ｂがタイムアップをカウントすると、タイマ機能４ｂから停止信号出力機能４ｃに信号が入力され、停止信号出力機能４ｃから調理装置５に信号が出力されて、調理装置を停止するので、調理装置５が必要以上に過熱されることが無く、調理装置５から火災の発生を防ぐことがきる。
【００１０】
なお、上記実施例では、超音波振動子１を調理装置５の前面に装着するようにしたが、図３に示すように、調理装置５の上にある換気装置７の前面や天井に調理する人に超音波が照射されるように装着してもよいし、さらに、調理装置５はガスコンロや電磁コンロでもよいし、携帯用のガスコンロでもよいし、又、時間が経過すると煮炊きや揚げ物をしているナベ等が過熱されるような調理装置に適用することができ、又、ストーブ等にも適用することができる。
【００１１】
【発明の効果】
以上説明したように、本発明の超音波センサを用いた自動消火システムでは、超音波振動子から超音波を調理をしている人に照射することにより、その反射波の有無を制御装置の反射波信号検出機能で検出し、反射波信号がある場合はタイマ機能を動作せず、反射信号が無い場合にのみタイマ機能を動作して、タイマ機能が設定された時間を越えると、停止信号出力機能にタイマ機能から信号が出力され、停止信号出力機能から調理装置に停止信号が出力されて調理装置を停止するので、調理装置が過熱して火災等が発生しないという利点がある。
【図面の簡単な説明】
【図１】本発明の実施例の超音波センサを用いた自動消火システムのブロック図である。
【図２】図１のシステムを使用する調理装置の構成図である。
【図３】図１のシステムを使用する調理装置の構成図である。
【符号の説明】
１          超音波振動子
２          発振器
３          受信機
４          制御装置
５          調理装置
６          設定装置
７          換気装置
【図１】
2004301392.tif 000003
【図２】
2004301392.tif 000004
【図３】
2004301392.tif 000005